(57)【要約】【課題】加熱調理器全体の厚さを薄くするために薄型の発光表示体を提供すること。【解決手段】発光表示体２５の発光源２７を箱体２６の側壁側に配置したことにより発光源２７の高さ分箱体２６を高くする必要がない。また、発光源２７からの直接光と箱体２６の内部で反射した光で発光表示部２８を光らせるため表示の明るさを一様にでき、発光源２７と発光表示部２８の間に発光源２７の光を広げるための空間を設ける必要がなく、発光表示体２５を薄くすることができる。【選択図】図３
2009283220.tif 000002
【特許請求の範囲】
【請求項１】
本体の上面に設けた透光性の天板と、前記天板の下方に設けられ前記天板上の被加熱調理容器を加熱する加熱体と、前記天板の下方から前記天板側に向けて発光する発光表示体とを備え、前記発光表示体は発光源と、前記発光源を覆い前記天板側に発光表示部を設けた箱体で構成し、前記発光源が前記箱体の側壁側に配置された加熱調理器。
【請求項２】
発光表示部は箱体の天板側に設けた開口部と前記開口部を覆い光透過部と不透過部を有する表示シートで構成し、前記開口部の大きさを前記表示シートの前記光透過部よりも大きくした請求項１に記載の加熱調理器。
【請求項３】
開口部に対し発光源の光が直接前記開口部に当るように前記発光源を水平方向に離して設けた請求項２に記載の加熱調理器。
【請求項４】
発光源を回路基板上に取り付け、前記回路基板が箱体の側壁の一部を形成する請求項１〜３のいずれか１項に記載の加熱調理器。
【請求項５】
発光表示体の回路基板の充電部が箱体の内側に配置された請求項４に記載の加熱調理器。
【発明の詳細な説明】
【技術分野】
【０００１】
本発明は、被加熱調理容器の載置位置や加熱体が加熱状態にあることなどを表示する発光表示体を備えた加熱調理器に関するものである。
【背景技術】
【０００２】
近年、キッチンキャビネットの収納部の開閉形態は使いやすくするため扉式から引き出し式に変わってきている。組込み式誘導加熱調理器などの加熱調理器設置部の下方もまた引き出し式の収納部が増えてきており、収納部の容積を確保するために収納部側に出っ張らない薄型の加熱調理器の開発が望まれている。
【０００３】
従来、この種の加熱調理器としては、天板の下に加熱体が配置され、天板上に載置した被加熱調理容器の載置位置や加熱体が加熱状態にあることなどを表示するために天板の下に発光表示体を設けたものがあった（例えば、特許文献１参照）。
【０００４】
その構成は図８〜図１１に示すように、本体１の天面は鍋などの被加熱調理容器（図示していない）を載置する天板２で形成され、天板２の内側には被加熱調理容器を加熱する加熱体３が配置されている。加熱体３の下方には制御装置４が設けられ、加熱体３の出力を調整している。また、本体１の内側で加熱体３の下方外周には発光表示体５が配置され、加熱時に天板２側に向けて発光し被加熱調理容器を載置する位置や加熱体３が加熱状態であることを表示するようになっている。発光表示体５の外郭は遮光性の箱体６で形成され、箱体６の底側には発光源７が配置されている。箱体６の天板２側には開口部８が設けられ、開口部８は表示シート９で覆われている。表示シート９は発光源７が点灯した時に開口部８を通った光を受けて光るように半透明に加工されている。また、発光源７と表示シート９の間は表示シート９の光りむらが少なくなるように空間を空けてある。
【特許文献１】特開２００４−２４７１８６号公報
【発明の開示】
【発明が解決しようとする課題】
【０００５】
しかしながら従来の構成では、加熱調理器全体１を薄くしようとした時に発光表示体５も薄くしなければならないが、表示シート９の光むらを少なくするために発光源７と表示シート９の間に空間を設ける必要があることや、発光源７を箱体６の底側に設けているために発光源７の高さ分箱体６を高くしなければならず発光表示体５が厚くなり、その結果加熱調理器全体１を薄くできないという課題があった。
【０００６】
本発明は、前記従来の課題を解決するもので、加熱調理器を薄くするための薄型の発光表示体を提供することを目的とする。
【課題を解決するための手段】
【０００７】
前記従来の課題を解決するために、本発明の加熱調理器は、本体の上面に設けた透光性の天板と、前記天板の下方に設けられ前記天板上の被加熱調理容器を加熱する加熱体と、前記加熱体の外周に配置され前記天板側に向けて発光する発光表示体とを備え、前記発光表示体は発光源と、前記発光源を覆い前記天板側に発光表示部を設けた箱体で構成し、前記発光源を前記箱体の側壁側に配置したものである。
【０００８】
これによって、発光源の高さが箱体の高さに影響せずかつ箱体の内部で反射した光と直接光で発光表示部を光らせるため発光源と発光表示部の間に発光源の光を広げるための空間を設けなくても表示の明るさを一様にでき、発光表示体を薄くすることができるもので
ある。
【発明の効果】
【０００９】
本発明の加熱調理器は、発光源の高さが箱体の高さに影響せずかつ箱体の内部で反射した光と直接光で発光表示部を光らせるため発光源と発光表示部の間に発光源の光を広げるための空間を設けなくても表示の明るさを一様にでき、発光表示体を薄くすることができるものである。
【発明を実施するための最良の形態】
【００１０】
第１の発明は、発光表示体を、発光源と、発光源を覆い天板側に発光表示部を設けた箱体で構成し、発光源を箱体の側壁側に配置したとすることにより、発光源の高さが箱体の高さに影響せずかつ箱体の内部で反射した光と直接光で発光表示部を光らせるため発光源と発光表示部の間に発光源の光を広げるための空間を設けなくても表示の明るさを一様にでき、発光表示体を薄くすることができるものである。
【００１１】
第２の発明は、特に、第１の発明において、発光表示部を箱体の天板側に設けた開口部と開口部を覆い光透過部と不透過部を有する表示シートで構成し、開口部の大きさを表示シートの光透過部よりも大きくしたもので、発光表示体の取り付け位置や発光の目的などに応じて容易に表示形状の変更をすることができる。
【００１２】
第３の発明は、特に、第２の発明において、開口部に対し発光源の光が直接開口部に当るように発光源を水平方向に離して設けたもので、発光源からの直接光で表示シートを明るく発光させることができ、天板上から見た時の表示を明瞭にすることができる。
【００１３】
第４の発明は、特に、第１〜３のいずれか１つの発明において、回路基板が箱体の側壁の一部を形成するようにしたことにより、回路基板を箱体の外側から取り付けることができるので組み立てが容易である。また、回路基板が箱体の側壁の一部を形成しているので箱体の材料使用量を少なくすることができ、安価にすることができる。
【００１４】
第５の発明は、特に第４の発明において、発光表示体の回路基板の充電部を箱体の内側に配置したもので、充電部が他の充電部や金属部品に触れる恐れがなく、発光表示体の周囲に空間を設ける必要がなく狭い場所に設置することができる。
【００１５】
以下、本発明の実施の形態について、図面を参照しながら説明する。なお、この実施の形態によって本発明が限定されるものではない。
【００１６】
（実施の形態１）
図１〜図３は、本発明の実施の形態１における加熱調理器を示している。
【００１７】
図に示すように、本体２１の天面は鍋などの被加熱調理容器（図示していない）を載置する天板２２で形成され、天板２２の内側には被加熱調理容器を加熱する加熱体２３が配置されている。加熱体２３の出力は天板２２に設けた調整ボタン２４を操作することによって調整される。本体２１の内側で加熱体２３の外周には発光表示体２５が配置され、天板２２側に向けて発光し被加熱調理容器を載置する位置や加熱体２３が加熱状態であることを表示する。発光表示体２５の外郭は箱体２６で形成され、箱体２６の側壁側には発光源２７が配置されている。ここで、箱体２６は外部に光が漏れないように遮光性の材料で形成されている。また、箱体２６の天板２２側には発光表示部２８が設けられ、発光表示部２８には天板２２側から見た時に発光源２７が隠れるように天井を残して開口部２９が設けられている。開口部２９は表示シート３０で覆われ、表示シート３０は発光源２７が点灯した時に開口部２９を通った光を受けて光るように半透明に加工されている。加熱体
２３の下方には制御回路３１が設けられ、加熱体２３の出力や加熱中に発光源２７を発光させるなどの制御を行っている。
【００１８】
以上のように構成された加熱調理器について、以下その動作、作用を説明する。
【００１９】
まず、被加熱調理容器を加熱する場合には天板２２の加熱体２３の上に被加熱調理容器を載せ、調整ボタン２４を押す。すると、加熱体２３に通電され被加熱調理容器の加熱が開始され、発光源２７が点灯する。発光源２７から出た光は、開口部２９から抜けるとともに箱体２６内で反射しその光も開口部２９から抜ける。開口部２９を通った光は表示シート３０に当って光り、被加熱調理容器を載置する位置や加熱体２３が加熱状態であることを表示する。発光源２７からの光を箱体２６内で反射させて表示シート３０が光るようにしたことにより表示シート３０は一様に光り、発光源２７と表示シート３０の間に発光源２７の光を広げるために高さ方向の空間を設ける必要がない。また、発光源２７が箱体２６の側壁側にあるので発光源２７の高さ分箱体２６を高くする必要がなく、発光表示体２５を薄くすることができる。その結果、発光表示体２５の厚さを薄くでき、薄型の加熱調理器を提供することが可能となる。
【００２０】
このように、本実施の形態においては、発光表示体２５は発光源２７と発光源２７を覆い天板２２側に発光表示部２８を設けた箱体２６で構成し、発光源２７を箱体２６の側壁側に配置したことにより、発光源２７の高さが箱体２６の高さに影響せずかつ箱体２６の内部で反射した光と直接光で発光表示部２８を光らせるため発光源２７と発光表示部２８の間に発光源２７の光を広げるための空間を設けなくても表示の明るさを一様にでき、発光表示体２５を薄くすることができるものである。
【００２１】
（実施の形態２）
図４は、本発明の実施の形態２における加熱調理器を示している。実施の形態１と同一要素については同一符号を付してその説明を省略する。
【００２２】
本実施の形態における加熱調理器は、表示シート３０に印刷を施して光透過部３０ａと不透過部３０ｂを設け、印刷を変えることで光透過部３０ａの大きさや形状を変えることができる。そして、開口部２９の大きさは光透過部３０ａの形状が変わっても陰ができないように光透過部３０ａよりも大きくしてあり、表示シート３０の印刷を変えるだけで表示形状を変えることができる（開口部２９の形状を変える必要がない）。発光表示体２５の取り付け位置や発光の目的などに応じて表示を変えたい場合に、箱体２６や発光源２７を変更することなく容易に表示形状を変更することができる。
【００２３】
このように、本実施の形態においては、発光表示部２８を箱体２６の天板２２側に設けた開口部２９と開口部２９を覆い光透過部３０ａと不透過部３０ｂを有する表示シート３０で構成し、開口部２９の大きさを表示シート３０の光透過部よりも大きくしたことにより、発光表示体２５の取り付け位置や発光の目的などに応じて容易に表示形状の変更をすることができる。
【００２４】
（実施の形態３）
図５は、本発明の実施の形態３における加熱調理器を示している。実施の形態１と同一要素については同一符号を付してその説明を省略する。
【００２５】
本実施の形態における加熱調理器は、開口部２９に対して発光源２７から放射され広がっていく光が直接開口部２９に当るように、発光源２７を開口部２９から水平方向に離して設けてある。発光源２７からの直接光が開口部２９を通り表示シート３０に当ることで表示シート３０を明るく発光させることができ、天板上から見た時の表示を明瞭にするこ
とができる。
【００２６】
このように、本実施の形態においては、開口部２９に対し発光源２７の光が直接開口部２９に当るように発光源２７を開口部２９から水平方向に離して設けたもので、発光源２７からの直接光で表示シート３０を明るく発光させることができ、天板２２上から見た時の表示を明瞭にすることができる。
【００２７】
（実施の形態４）
図６は、本発明の実施の形態４における加熱調理器を示している。実施の形態１と同一要素については同一符号を付してその説明を省略する。
【００２８】
本実施の形態における加熱調理器は、発光源２７を回路基板３２上に設け、回路基板３２が箱体２６の側壁の一部になるように外側から取り付けてある。回路基板３２を箱体２６の外側から取り付けることができるので、組み立てが容易である。また、回路基板３２が箱体２６の側壁の一部を形成することで、箱体２６の材料使用量を少なくすることができ、安価にすることができる。
【００２９】
このように、本実施の形態においては、回路基板３２が箱体２６の側壁の一部を形成するようにしたことにより、回路基板３２を箱体２６の外側から取り付けることができるので組み立てが容易である。また、回路基板３２が箱体２６の側壁の一部を形成しているので箱体２６の材料使用量を少なくすることができ、安価にすることができる。
【００３０】
（実施の形態５）
図７は、本発明の実施の形態５における加熱調理器を示している。実施の形態１と同一要素については同一符号を付してその説明を省略する。
【００３１】
本実施の形態における加熱調理器は、回路基板３２上の発光源２７や回路パターン３３などの充電部を箱体２６の内側に配置してある。充電部が箱体２６の内側にあるので充電部が他の充電部や金属部品に触れる恐れがなく、発光表示体２５の周囲に空間を設ける必要がなく狭い場所に設置することができる。
【００３２】
このように、本実施の形態においては、発光表示体２５の発光源２７等の充電部を箱体２６の内側に配置したもので、充電部が他の充電部や金属部品に触れる恐れがなく、発光表示体２５の周囲に空間を設ける必要がなく狭い場所に設置することができる。
【産業上の利用可能性】
【００３３】
以上のように、本発明にかかる加熱調理器は発光表示体を薄くすることができるので、加熱調理器に限らず発光表示体を有する機器全般に適用できる。
【図面の簡単な説明】
【００３４】
【図１】本発明の実施の形態１における加熱調理器の平面図
【図２】同加熱調理器の断面図
【図３】同加熱調理器の発光表示体の分解斜視図
【図４】本発明の実施の形態２における加熱調理器発光表示体の分解斜視図
【図５】本発明の実施の形態３における加熱調理器の発光表示体の断面図
【図６】本発明の実施の形態４における加熱調理器の発光表示体の断面図
【図７】本発明の実施の形態５における加熱調理器の発光表示体の分解斜視図
【図８】従来例における加熱調理器の平面図
【図９】同加熱調理器の断面図
【図１０】同加熱調理器の発光表示体の断面図
【図１１】同加熱調理器をキッチンキャビネットに組み込んだ斜視図
【符号の説明】
【００３５】
２１  本体
２２  天板
２３  加熱体
２５  発光表示体
２６  箱体
２７  発光源
２８  発光表示部
２９  開口部
３０  表示シート
３０ａ  光透過部
３０ｂ  不透過部
３２  回路基板
３３  回路パターン（充電部）
【図１】
2009283220.tif 000003
【図２】
2009283220.tif 000004
【図３】
2009283220.tif 000005
【図４】
2009283220.tif 000006
【図５】
2009283220.tif 000007
【図６】
2009283220.tif 000008
【図７】
2009283220.tif 000009
【図８】
2009283220.tif 000010
【図９】
2009283220.tif 000011
【図１０】
2009283220.tif 000012
【図１１】
2009283220.tif 000013